(57)【要約】【課題】      太陽電池を用いることで電力コストや配電設備を極力軽減し、常夜灯として夜間に発光し続けることで、神社仏閣や墓地の周辺の安全性と荘厳な優雅さを醸し出すことができる燈篭を提供すること。【解決手段】  神社仏閣や墓地に設置してある燈篭において、該燈篭内に、太陽電池装置と、該太陽電池装置により発光する発光体とで構成される光学光源発光体を具備したことを特徴とする。また前記光学光源発光体に、発光体から照射される光を反射させる反射材を具備した。また前記太陽電池装置の表面に、湾曲状のカバーを装着した。また太陽電池装置に、入力電圧を無段階に調整する可変交流電圧器を具備した。【選択図】図１
2009026724.tif 000002
【特許請求の範囲】
【請求項１】
神社仏閣や墓地に設置してある燈篭において、該燈篭内に、太陽電池装置と、該太陽電池装置により発光する発光体とで構成される光学光源発光体を具備したことを特徴とする燈篭。
【請求項２】
前記光学光源発光体に、発光体から照射される光を反射させる反射材を具備した請求項１記載の燈篭。
【請求項３】
前記太陽電池装置の表面に、湾曲状のカバーを装着した請求項１または２記載の燈篭。
【請求項４】
前記太陽電池装置に、入力電圧を無段階に調整する可変交流電圧器を具備した請求項１乃至３のうちいずれか１項に記載の燈篭。
【請求項５】
前記発光体は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる請求項１乃至４のうちいずれか１項に記載の燈篭。
【発明の詳細な説明】
【技術分野】
【０００１】  本発明は、配電設備や電力コストを極力削減し、夜間における神社仏閣や墓地の周辺を高輝度に照らし出すことができる燈篭に関する。
【背景技術】
【０００２】  従来、神社仏閣や墓地等には、灯明もしくは常夜灯としての燈篭が設置されている。一般的な燈篭は、宝珠、笠、火袋、中台、足にて形成されており、火袋には精霊を導くための灯火材が具備されている。通常、燈篭の火袋の内部には、ロウソクや電球を内蔵した電気式の灯火材が使用されている。【０００３】  また特に、灯篭開口部のばらつきが大きい場合でも容易に着脱することができ、風雨の侵入を確実に阻止して、しかも高齢者などでも蝋燭を確実かつ容易に灯篭内に設置することができる灯篭用防風カバーがある（例えば、特許文献１参照）。
上掲特許文献１には、カバー部と、前記カバー部の中央に形成されたカバー開口部と、前記カバー開口部と略同一もしくは少し大きく形成され一側部が前記カバー開口部の縁部で回動部を介して開閉自在に形成された開閉扉と、前記カバー部内側の上部又は下部の周辺に固定された弾性係止部と、前記弾性係止部に対向した前記カバー部の他辺部側に固定されたカバー固定部と、前記カバー固定部に中央が固定して配設され前記カバー固定部から屈曲して延設された案内部と、を備えたことを特徴とする灯篭用防風カバーが開示されている。
【特許文献１】特開２００３−１９７００１号公報
【発明の開示】
【発明が解決しようとする課題】
【０００４】  しかしながら、上掲特許文献１の灯篭用防風カバーは灯火物が蝋燭であるために、灯火時間に制限があると共に、引火による火災発生の虞があった。また蝋燭のために高い発光輝度は得られず、さらに消費コストにも問題が生じた。【０００５】  そこで本発明は上記の点に鑑み、太陽電池を用いることで電力コストや配電設備を極力軽減し、常夜灯として夜間に発光し続けることで、神社仏閣や墓地の周辺の安全性確保と荘厳な優雅さを醸し出すことができる燈篭を提供することにある。
【課題を解決するための手段】
【０００６】  上記問題を解決するために本発明の燈篭は、神社仏閣や墓地に設置してある燈篭において、該燈篭内に、太陽電池装置と、該太陽電池装置により発光する発光体とで構成される光学光源発光体を具備したことを特徴とする。また前記光学光源発光体に、発光体から照射される光を反射させる反射材を具備した。また前記太陽電池装置の表面に、湾曲状のカバーを装着した。また太陽電池装置に、入力電圧を無段階に調整する可変交流電圧器を具備した。さらに前記発光体は、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる。
【発明の効果】
【０００７】  太陽電池装置を用いることで電力コストや配電設備を極力削減できる。また前記光学光源発光体に、発光体から照射される光を反射させる反射材を具備したことで、発光体からの光を広範囲に照射させることができる。また太陽電池装置に、入力電圧を無段階に調整する可変交流電圧器を具備したことにより、発光体から照射する光を無段階に調整でき、神社仏閣や墓地を優雅に照らし出すことが可能になる。
【発明を実施するための最良の形態】
【０００８】  以下、本発明における燈篭の実施の形態を図面に基づき説明する。
図１に示す燈篭１は神社仏閣や墓地に設置され、灯明もしくは常夜灯としての働きを有するもので、主に石材や木材等の素材で形成されている。また前記燈篭１は宝珠３、笠４、火袋５、中台６、足７にて構成されている。【０００９】  また特に前記燈篭１は、太陽電池装置２０と、該太陽電池装置２０により発光する発光体１０とで構成される光学光源発光体２を具備したことを特徴とする。【００１０】  太陽電池装置２０は、ソーラーパネル２１と、充電器と光センサーを具備した電池装置２２にて形成される。前記ソーラーパネル２１および電池装置２２は宝珠３の内部に設置されている。なお、図中、前記宝珠３は蓮の花の形状に形成されているが、これに限らず、神社仏閣や墓地等の設置する場所に応じて変更することができる。【００１１】  また前記太陽電池装置２０には、コード２３を介して発光体１０が接続されている。かかる発光体１０は火袋５の上部に下向きに配設されており、コード２３は笠４内に貫通されている。【００１２】  前記発光体１０は、光源から前面に放射される光を集束してスポット状に照射することができる光学媒体１１とからなる。また両面発光構造の半導体発光素子を用いた場合において、裏面側への発光成分を含めて、すべての迷光成分が、有効に照明に寄与出来るようにすることを可能とし、特に、その数を多数必要とすることなく、所望の照度をえることが可能な発光体である。【００１３】  また発光体１０は、小型化・低価格化が期待できると共に、スポット照射のみならず拡散にも適用できる。また、長寿命、低消費電力、ノイズレス、紫外線を出さない、光のちらつき（フリッカー）がない、光強度調節が容易、低温光源、安定性が高い、変調が容易、スイッチング特性が優位、フルカラー対応、指向性が高い、光変換効率が格段に高い等数多くのメリットを有している。【００１４】  また前記発光体１０は、図３の（ａ）に示すように、発光面となる前面と、前面に対向した後面と、前面と後面とを接続する光伝送部と、後面の一部から前面方向に沿って光伝送部の内部に形成された凹部とを少なくとも有する光学媒体（バルクレンズ）１１と、凹部に収納された半導体発光素子１２と、光学媒体１１の後面に配置された背面鏡１３とからなる。また背面鏡１３は、光学媒体１１の側面の一部にまで延長されて形成されている。なお、この発光体は、特許第３３００７７８号公報に開示された公知の技術である。【００１５】  また図３の（ｂ）は、前記発光体１０の対応する断面図であり、１４はＬＥＤホルダー、１５はチップ、１６は樹脂モールド、１７は第１のピン、１８は第２のピン、１９は屈折率をそれぞれ示す。【００１６】  また他の好適例として、前記光学光源発光体２に、発光体１０から照射される光を反射させる反射材２４を具備した。かかる反射材２４は、湾曲状の鏡、もしくは湾曲状部材の表面にアルミを接着または蒸着することにより形成されており、火袋５の底面に設置されている。前記反射材２４を具備することで、発光体１０からの光は、火袋５の開口部９から広範囲に照射される。【００１７】  また他の好適例として、前記太陽電池装置２０のソーラーパネル２１の表面に、湾曲状のカバー２５を装着した。かかるカバー２５は、透光性を有するガラスまたは硬質樹脂にて湾曲状に形成されている。前記カバー２５を設置することにより、太陽電池装置２０を風雨や塵埃から保護することができる。なお、太陽電池装置２０が配設されている宝珠３の底面には、水抜孔８が穿孔されている。そのことにより、雨水が宝珠３の底面に溜まることを防ぐことができる。【００１８】  また他の好適例として、前記太陽電池装置２０に、入力電圧を無段階に調整する可変交流電圧器２６を具備した。可変交流電圧器２６は、入力電圧を無段階にしかも連続的に調整するもので、一般的に変圧器、摺動変圧器と呼ばれている。前記太陽電池装置２０に可変交流電圧器２６を備えることで、発光体１０から照射する光を無段階に調整することができる。そのため、燈篭１を高輝度に、且つ幻想的に発光させることができ、外観的優雅さと荘厳な雰囲気を醸し出すことが可能になる。【００１９】  次に、本発明の燈篭の使用状態を説明する。
図４は神社仏閣３０に本発明の燈篭１を設置した状態を示す。神社仏閣３０に燈篭１を設置したことで、夜間に燈篭１の火袋が発光して灯明もしくは常夜灯としての働きを有する。また燈篭１の周囲が明るく照らし出されるため、夜間における参拝を安全に行えると共に、夜間に発生する事故や犯罪を軽減することができる。さらに、神社仏閣の建物を荘厳な雰囲気に照らし出すことも可能になる。【００２０】  図５は、墓地３１に燈篭１を設置した状態を示す。燈篭１を墓地３１に設置したことにより、夜間でも安心してお参りすることができる。さらに、墓地周辺を明るく照ら出すことで、夜間に発生する事故や犯罪を軽減することも可能になる。
【図面の簡単な説明】
【００２１】
【図１】本発明の燈篭の全体図である。
【図２】前記燈篭の拡大断面図である。
【図３】（ａ）は発光体を示す模式的な鳥瞰図、（ｂ）は対応する断面図である。
【図４】燈篭を神社仏閣に設置した使用例である。
【図５】燈篭を墓地に設置した使用例である。
【符号の説明】
【００２２】１    燈篭
２    光学光源発光体
３    宝珠
４    笠
５    火袋
６    中台
７    足
８    水抜孔
９    開口部
１０  発光体
１１  光学媒体
１２  半導体発光素子
１３  背面鏡
１４  ＬＥＤホルダー
１５  チップ
１６  樹脂モールド
１７  第１のピン
１８  第２のピン
１９  屈折率
２０  太陽電池装置
２１  ソーラーパネル
２２  電池装置
２３  コード
２４  反射材
２５  カバー
２６  可変交流電圧器
３０  神社仏閣
３１  墓地
【図１】
2009026724.tif 000003
【図２】
2009026724.tif 000004
【図３】
2009026724.tif 000005
【図４】
2009026724.tif 000006
【図５】
2009026724.tif 000007